(57)【要約】  かみそりカートリッジ測定装置が提供される。装置は、第１方向においてかみそりカートリッジに加わる第１負荷、及び第１方向とは異なる第２方向においてかみそりカートリッジに加わる第２負荷を測定する装置を含む。装置５はまた、所定の方向に対してカートリッジが位置付けられる角度を測定する第２装置を備える。
2010515515.tif 000002
【特許請求の範囲】
【請求項１】
第１方向においてかみそりカートリッジに加わる第１負荷、及び前記第１方向とは異なる第２方向において前記かみそりカートリッジに加わる第２負荷を測定する第１装置と、
所定の方向に対して前記かみそりカートリッジが位置付けられる角度を測定する第２装置と、を備える、かみそりカートリッジ測定装置。
【請求項２】
前記第１装置がロードセルを備える、請求項１に記載の装置。
【請求項３】
前記ロードセルが互いに直交する２つの負荷を測定する、請求項１に記載の装置。
【請求項４】
前記所定の方向が前記第２方向である、請求項１に記載の装置。
【請求項５】
前記第２方向が前記第１方向に実質的に直交する、請求項１に記載の装置。
【請求項６】
前記第２装置が、回転センサー、１つの変位センサー、又は複数の変位センサーを備える、請求項１に記載の装置。
【請求項７】
前記装置が、前記第１装置及び前記第２装置からの入力データを受信するプロセッサを更に備える、請求項１に記載の装置。
【請求項８】
前記プロセッサが、前記入力データをもとにして前記かみそりカートリッジに対する抵抗を算出する、請求項７に記載の装置。
【請求項９】
前記プロセッサが、前記入力データをもとにして前記かみそりカートリッジに対する摩擦を算出する、請求項７に記載の装置。
【請求項１０】
前記プロセッサが、前記入力データをもとにして前記かみそりカートリッジに対する垂直負荷を算出する、請求項７に記載の装置。
【発明の詳細な説明】
【技術分野】
【０００１】
本発明はかみそりカートリッジ測定装置に関し、より詳しくは、かみそりカートリッジに加えられる負荷、及び負荷が加えられている間のカートリッジの位置を測定する、かみそりカートリッジ測定装置に関する。
【背景技術】
【０００２】
かみそりカートリッジを評価するために、多くの技術が使用されてきた。例えば、かみそりカートリッジが、評価のために消費者団体に付与されてきた。これらの団体は、かみそりカートリッジを用いて剃毛し、そのかみそりカートリッジに関する多くの質問に答えるよう求められる。このような手法は、かみそりカートリッジを評価するのに有用である。典型的なアンケートには、剃毛の快適性に関する１つ以上の質問が含まれる。このような手法に関する１つの欠点は、消費者団体を結成し、剃毛の課題を実行し、消費者にアンケートに記入してもらい、次に結果を集計するのに付随するコスト及び時間である。
【０００３】
かみそりにセンサーを内蔵することが知られている。これらのセンサーは、典型的には、特定の力閾値に到達したことを検出するのに使用される。力センサーを備えるかみそりの概念は、剃毛中、皮膚に過度の力が加わっていることをユーザーに警告するというものである。
【発明の概要】
【発明が解決しようとする課題】
【０００４】
消費者アンケートを必要とせずに、かみそりカートリッジの評価を可能とする装置を提供することは有益であろう。
【０００５】
剃毛中に、かみそりカートリッジに加えられる負荷を測定することができる、かみそりカートリッジの評価を可能とする装置を提供することは、有益であろう。
【０００６】
剃毛中に、かみそりカートリッジに加えられる直交負荷を測定し、次にその測定値を使用して抵抗及び摩擦を算出することができる、かみそりカートリッジの評価を可能とする装置を提供することは、有益であろう。
【課題を解決するための手段】
【０００７】
本発明に従って、かみそりカートリッジ測定装置が提供される。装置は、第１方向においてかみそりカートリッジに加わる第１負荷、及び第１方向とは異なる第２方向においてかみそりカートリッジに加わる第２負荷を測定する装置を備える。装置は、所定の方向に対してかみそりカートリッジが位置付けられる角度を測定する第２装置を備える。
【０００８】
本発明の１つの態様に従って、装置にはハンドルが取り付けられている。
【０００９】
第１装置は、ロードセルを備えてもよい。ロードセルは、互いに直交する２つの負荷を測定する。第２装置は、ポテンショメーターのような回転センサー、又は角度を測定するための１つ又は複数の変位センサーを備えてもよい。
【００１０】
所定の方向は、第２方向であってよい。所定の方向は、第１方向であってよい。第２方向は、第１方向と実質的に直交する。
【００１１】
本発明の他の態様に従って、装置はプロセッサを備えてもよい。プロセッサは、第１装置及び第２装置からの入力データを受信する。第１装置からの入力データには、第１負荷及び第２負荷を含むことができる。第２装置からの入力データには、角度を含むことができる。第２装置からの入力データには、距離測定値を含むことができる。プロセッサは、入力データをもとに、かみそりカートリッジに対する抵抗を算出することができる。プロセッサによって、入力データをもとにかみそりカートリッジにおける摩擦を算出することができる。プロセッサによって、入力データをもとにかみそりカートリッジにおける垂直負荷を算出することができる。
【図面の簡単な説明】
【００１２】
本明細書は、本発明を構成するとみなされる対象を具体的に指摘し、明確に請求する請求項をもって結論とするが、本発明は添付の図面とともに考慮される次の説明からより良好に理解されるものと考えられる。
【図１】ハンドルに取り付けられ、かみそりカートリッジとともに示される、本発明の装置の側面図。
【図２】ハンドルに取り付けられ、かみそりカートリッジとともに示される、図１の装置の背面図。
【図３】プロセッサを含む、図１の装置の側面図。
【図４】ハンドルに取り付けられ、かみそりカートリッジとともに示される、本発明のその他の装置の側面図。
【図５】ハンドルに取り付けられ、かみそりカートリッジとともに示される、図４の装置の背面図。
【図６】ハンドルに取り付けられ、かみそりカートリッジとともに示される、本発明のその他の装置の側面図。
【図７】ハンドルに取り付けられ、かみそりカートリッジとともに示される、図６の装置の背面図。
【図８】ハンドルに取り付けられ、かみそりカートリッジとともに示される、本発明のその他の装置の側面図。
【図９】ハンドルに取り付けられ、かみそりカートリッジとともに示される、図８の装置の背面図。
【発明を実施するための形態】
【００１３】
図１〜２を参照すると、かみそりカートリッジ測定装置２０が示されている。装置２０は、第１装置２２及び第２装置２４を備える。装置２０は、ハンドル２６に取り付けられた状態で示されている。かみそりカートリッジ２８は、ハンドル２６に対向する装置２０に取り付けられている。かみそりカートリッジ２８は、旋回軸４０の周囲で回転する。かみそりカートリッジ２８は、切断面２９を含む。切断面２９は、かみそりカートリッジ２８に内蔵されるブレード４５の縁によって形成される。
【００１４】
第１装置２２は、ロードセル３０を備える。ロードセル３０は、第１方向３２において第１又は圧縮負荷３１、及び第１方向３２とは異なる第２方向３４において第２又は曲げ負荷３３を測定する。好ましくは、第２方向３４は、第１方向３２と直交する。第１方向３２及び第２方向３４は、装置２０において基準座標系を確立する。
【００１５】
好ましくは、ロードセルは、互いに直交する２方向における負荷を測定する。更なる方向において、更なる負荷を測定するのに、代替のロードセルを使用することができる。あまり好ましくはないが、第１装置は２つのロードセルを備えてもよく、それぞれのロードセルが単一の負荷を測定し、互いに直交する方向における負荷を測定するように配列される。
【００１６】
第２装置２４は、所定の方向に対するカートリッジ２８の角度Θを直接的又は間接的に測定する。この場合、所定の方向は第２方向３４である。しかしながら、そこから測定値を採用することができる既知の要素として役立つならば、所定の方向として他の方向を選択することができる。図示されている装置２０において、第２装置２４は、変位センサー３６を備える。変位センサー３６は、第２方向３４に対してカートリッジ２８が移動した距離を最初に測定することで、間接的に角度Θを測定する。次に、角度Θを算出するか、決定するために、カートリッジ２８が移動した距離を使用することができる。
【００１７】
第１又は圧縮負荷３１、第２又は曲げ負荷３３、及び角度Θの測定値から、カートリッジ２８における垂直負荷Ｎ及び抵抗Ｄを算出することができる。抵抗Ｄは、切断面２９と平行なカートリッジ２８上にかかる負荷である。垂直負荷Ｎは、切断面２９と直交するカートリッジ２８上にかかる負荷である。
【００１８】
垂直負荷Ｎ及び抵抗Ｄは、かみそりカートリッジ２８に加えられ、かみそりカートリッジ２８は、旋回軸４０の周囲で回転又は旋回する。装置２２及び２４はともに、垂直負荷Ｎ及び抵抗Ｄがカートリッジ２８に加えられる際に、第１負荷３１、第２負荷３３、及び角度Θを測定する。
【００１９】
図３を参照すると、装置２０の一部としてプロセッサ６０が示されている。プロセッサ６０は、ワイヤ６１及び６２を介して、第１装置２２及び第２装置２４と接続する。プロセッサ６０は、複数個の入力データをもとにして値を算出及び格納することができる任意の既存の装置を備える。好適なプロセッサは、従来のコンピュータである。
【００２０】
使用する際、かみそりカートリッジ２８が装置２０に取り付けられ、次に装置２０がハンドル２６に取り付けられる。ユーザーがハンドル２６を持ち、かみそりカートリッジ２８で剃毛する際、第１装置２２及び第２装置２４は複数個の入力データを測定する。これらの入力データには、第１負荷３１、第２負荷３３、及び第２方向３４に対してカートリッジ２８が移動する距離が含まれる。測定された第１負荷、第２負荷、及び距離の入力データがプロセッサ６０に送信され、受信される。プロセッサ６０は、装置２４から受信する距離の測定値を使用して、角度Θを算出する。
【００２１】
プロセッサ６０は、以下の式をもとにして、抵抗、垂直負荷、及び摩擦を算出する。
抵抗＝第２負荷３３×コサイン（Θ）＋第１負荷３１×サイン（Θ）
垂直負荷＝第１負荷３１×コサイン（Θ）−第２負荷３３×サイン（Θ）
摩擦＝抵抗／垂直負荷
【００２２】
装置２０を使用することで、抵抗、垂直負荷、及び／又は摩擦をもとにして、いくつかのかみそりカートリッジを評価及び比較することができる。
【００２３】
装置２２及び２４をプロセッサ６０にワイヤを用いて直接接続する代わりに、他の方法で入力データを送信することができる。例えば、入力データを一時的に装置２２及び２４に格納し、後でプロセッサにダウンロードすることができる。第１及び第２装置によって、無線通信を用いて、入力データをプロセッサに送信することもできる。
【００２４】
第１方向３２及び第２方向３４は、旋回軸４０を貫通していても、していなくてもよい。図１〜３の装置２０では、第１方向３２及び第２方向３４は旋回軸４０を貫通する。
【００２５】
図４〜５を参照すると、その他のかみそりカートリッジ測定装置１２０が示されている。装置１２０は、第１装置１２２及び第２装置１２４を備える。装置１２０は、ハンドル１２６に取り付けられた状態で示されている。かみそりカートリッジ１２８は、ハンドル１２６に対向する装置１２０に取り付けられている。かみそりカートリッジ１２８は、旋回軸１４０の周囲で回転する。かみそりカートリッジ１２８は、切断面１２９を含む。切断面１２９は、かみそりカートリッジ１２８に内蔵されるブレード１４５の縁によって形成される。
【００２６】
第１装置１２２は、ロードセル１３０を備える。ロードセル１３０は、第１方向１３２において第１又は圧縮負荷１３１、及び第１方向１３２とは異なる第２方向１３４において第２又は曲げ負荷１３３を測定する。好ましくは、第２方向１３４は、第１方向１３２と直交する。第１方向１３２及び第２方向１３４は、装置１２０において基準座標系を確立する。
【００２７】
第２装置１２４は、回転センサー１３５を備える。回転センサー１３５は、回転式ポテンショメーター１３６を備える。回転式ポテンショメーター１３６は、第２方向１３４に対するカートリッジ１２８の角度Θを直接測定する。回転式ポテンショメーター１３６は、連結部１３７によってカートリッジ１２８に接続する。
【００２８】
第１又は圧縮負荷１３１、第２又は曲げ負荷１３３、及び角度Θの測定値から、カートリッジ１２８における垂直負荷Ｎ及び抵抗Ｄを算出することができる。抵抗Ｄは、切断面１２９と平行なカートリッジ１２８上にかかる負荷である。垂直負荷Ｎは、切断面１２９と直交するカートリッジ１２８上にかかる負荷である。
【００２９】
垂直負荷Ｎ及び抵抗Ｄは、かみそりカートリッジ１２８に加えられ、かみそりカートリッジ１２８は、旋回軸１４０の周囲で回転又は旋回する。装置１２２及び１２４はともに、垂直負荷Ｎ及び抵抗Ｄがカートリッジ１２８に加えられる際に、第１負荷１３１、第２負荷１３３、及び角度Θを測定する。
【００３０】
使用する際、かみそりカートリッジ１２８が装置１２０に取り付けられ、次に装置１２０がハンドル１２６に取り付けられる。ユーザーがハンドル１２６を持ち、かみそりカートリッジ１２８で剃毛する際、第１装置１２２及び第２装置１２４は複数の入力データを測定する。これらの入力データには、第１負荷１３１、第２負荷１３３、及び角度Θが含まれる。測定された第１負荷、第２負荷、及び距離の入力データは、図３に示されるプロセッサ６０のようなプロセッサに送信され、受信される。
【００３１】
プロセッサは、以下の式をもとにして、抵抗、垂直負荷、及び摩擦を算出する。
抵抗＝第２負荷１３３×コサイン（Θ）＋第１負荷１３１×サイン（Θ）
垂直負荷＝第１負荷１３１×コサイン（Θ）−第２負荷１３３×サイン（Θ）
摩擦＝抵抗／垂直負荷
【００３２】
装置１２０を使用することで、抵抗、垂直負荷、及び／又は摩擦をもとにして、いくつかのかみそりカートリッジを評価及び比較することができる。
【００３３】
装置１２２及び１２４をプロセッサにワイヤを用いて直接接続する代わりに、他の方法で入力データを送信することができる。例えば、入力データを一時的に装置１２２及び１２４に格納し、後でプロセッサにダウンロードすることができる。第１及び第２装置によって、無線通信を用いて、入力データをプロセッサに送信することもできる。
【００３４】
第１方向１３２及び第２方向１３４は、旋回軸１４０を貫通していても、していなくてもよい。図４〜５の装置１２０では、第１方向１３２及び第２方向１３４は旋回軸１４０を貫通する。
【００３５】
図６〜７を参照すると、その他のかみそりカートリッジ測定装置２２０が示されている。装置２２０は、第１装置２２２及び第２装置２２４を備える。装置２２０は、ハンドル２２６が取り付けられた状態で示されている。かみそりカートリッジ２２８は、ハンドル２２６に対向する装置２２０に取り付けられる。かみそりカートリッジ２２８は、旋回軸２４０の周囲で回転する。かみそりカートリッジ２２８は、切断面２２９を含む。切断面２２９は、かみそりカートリッジ２２８に内蔵されるブレード２４５の縁によって形成される。
【００３６】
第１装置２２２は、ロードセル２３０を備える。ロードセル２３０は、第１方向２３２において第１又は圧縮負荷２３１、及び第１方向２３２とは異なる第２方向２３４において第２又は曲げ負荷２３３を測定する。好ましくは、第２方向２３４は、第１方向２３２と直交する。第１方向２３２及び第２方向２３４は、装置２２０において基準座標系を確立する。
【００３７】
第２装置２２４は、複数の変位センサーを備える。第２装置２２４は、第１変位センサー２３６及び第２変位センサー２３７を備える。センサー２３６及び２３７は、第２方向２３４に対してカートリッジ２２８が移動した距離を測定する。カートリッジ２２８の移動距離は、第２方向２３４に対するカートリッジ２２８の角度Θを算出するのに使用することができる。
【００３８】
第１又は圧縮負荷２３１、第２又は曲げ負荷２３３、及び角度Θの測定値から、カートリッジ２２８における垂直負荷Ｎ及び抵抗Ｄを算出することができる。抵抗Ｄは、切断面２２９と平行なカートリッジ２２８上にかかる負荷である。垂直負荷Ｎは、切断面２２９と直交するカートリッジ２２８上にかかる負荷である。
【００３９】
垂直負荷Ｎ及び抵抗Ｄは、かみそりカートリッジ２２８に加えられ、かみそりカートリッジ２２８は、旋回軸２４０の周囲で回転又は旋回する。装置２２２及び２２４はともに、垂直負荷Ｎ及び抵抗Ｄがカートリッジ２２８に加えられる際に、第１負荷２３１、第２負荷２３３、及び角度Θを測定する。
【００４０】
使用する際、かみそりカートリッジ２２８が装置２２０に取り付けられ、次に装置２２０がハンドル２２６に取り付けられる。ユーザーがハンドル２２６を持ち、かみそりカートリッジ２２８で剃毛する際、第１装置２２２及び第２装置２２４は複数の入力データを測定する。これらの入力データには、第１負荷２３１、第２負荷２３３、及び角度Θが含まれる。測定された第１負荷、第２負荷、及び距離の入力データは、図３に示されるプロセッサ６０のようなプロセッサに送信され、受信される。
【００４１】
プロセッサは、以下の式をもとにして、抵抗、垂直負荷、及び摩擦を算出する。
抵抗＝第２負荷２３３×コサイン（Θ）＋第１負荷２３１×サイン（Θ）
垂直負荷＝第１負荷２３１×コサイン（Θ）−第２負荷２３３×サイン（Θ）
摩擦＝抵抗／垂直負荷
【００４２】
装置２２０を使用することで、抵抗、垂直負荷、及び／又は摩擦をもとにして、いくつかのかみそりカートリッジを評価及び比較することができる。
【００４３】
装置２２２及び２２４をプロセッサにワイヤを用いて直接接続する代わりに、他の方法で入力データを送信することができる。例えば、入力データを一時的に装置２２２及び２２４に格納し、後でプロセッサにダウンロードすることができる。第１及び第２装置によって、無線通信を用いて、入力データをプロセッサに送信することもできる。
【００４４】
第１方向２３２及び第２方向２３４は、旋回軸２４０を貫通していても、していなくてもよい。図６〜７の装置２２０では、第１方向２３２及び第２方向２３４は旋回軸４０を貫通する。
【００４５】
図８〜９を参照すると、その他のかみそりカートリッジ測定装置３２０が示されている。装置３２０は、第１装置３２２及び第２装置３２４を備える。装置３２０は、ハンドル３２６に取り付けられた状態で示されている。かみそりカートリッジ３２８は、ハンドル３２６に対向する装置３２０に取り付けられている。かみそりカートリッジ３２８は、旋回軸３４０の周囲で回転する。かみそりカートリッジ３２８は、切断面３２９を含む。切断面３２９は、かみそりカートリッジ３２８に内蔵されるブレード３４５の縁によって形成される。
【００４６】
第１装置３２２は、ロードセル３３０を備える。ロードセル３３０は、第１方向３３２において第１又は圧縮負荷３３１、及び第１方向３３２とは異なる第２方向３３４において第２又は曲げ負荷３３３を測定する。好ましくは、第２方向３３４は、第１方向３３２と直交する。第１方向３３２及び第２方向３３４は、装置３２０において基準座標系を確立する。
【００４７】
第２装置３２４は、ポテンショメーター３３６を備える。ポテンショメーター３３６は、第２方向３３４に対するカートリッジ３２８の角度Θを直接測定する。ポテンショメーター３３６は、連結３３７によってカートリッジ３２８に接続する。
【００４８】
第１又は圧縮負荷３３１、第２又は曲げ負荷３３３、及び角度Θの測定値から、カートリッジ３２８における垂直負荷Ｎ及び抵抗Ｄを算出することができる。抵抗Ｄは、切断面３２９と平行なカートリッジ３２８上にかかる負荷である。垂直負荷Ｎは、切断面３２９と直交するカートリッジ３２８上にかかる負荷である。
【００４９】
垂直負荷Ｎ及び抵抗Ｄは、かみそりカートリッジ３２８に加えられ、かみそりカートリッジ３２８は、旋回軸３４０の周囲で回転又は旋回する。装置３２２及び３２４はともに、垂直負荷Ｎ及び抵抗Ｄがカートリッジに加えられる際に、第１負荷３３１、第２負荷３３３、及び角度Θを測定する。
【００５０】
使用する際、かみそりカートリッジ３２８が装置３２０に取り付けられ、次装置３２０がハンドル３２６に取り付けられる。ユーザーがハンドル３２６を持ち、かみそりカートリッジ３２８で剃毛する際、第１装置３２２及び第２装置３２４は複数の入力データを測定する。これらの入力データには、第１負荷３３１、第２負荷３３３及び角度Θが含まれる。測定された第１負荷、第２負荷、及び距離の入力データは、図３に示されるプロセッサ６０のようなプロセッサに送信され、受信される。
【００５１】
プロセッサは、以下の式をもとにして、抵抗、垂直負荷、及び摩擦を算出する。
抵抗＝第２負荷３３３×コサイン（Θ）−第１負荷３３１×サイン（Θ）
垂直負荷＝第１負荷３３１×コサイン（Θ）＋第２負荷３３３×サイン（Θ）
摩擦＝抵抗／垂直負荷
【００５２】
装置３２０を使用することで、抵抗、垂直負荷、及び／又は摩擦をもとにして、いくつかのかみそりカートリッジを評価及び比較することができる。
【００５３】
装置３２２及び３２４をプロセッサにワイヤを用いて直接接続する代わりに、他の方法で入力データを送信することができる。例えば、入力データを一時的に装置３２２及び３２４に格納し、後でプロセッサにダウンロードすることができる。第１及び第２装置によって、無線通信を用いて、入力データをプロセッサに送信することもできる。
【００５４】
第１方向３３２及び第２方向３３４は、旋回軸３４０を貫通していても、していなくてもよい。図８〜９の装置３２０では、第１方向３３２は旋回軸２４０を貫通しないが、第２方向３３４は旋回軸３４０を貫通する。
【００５５】
本明細書に開示される寸法及び値は、列挙する正確な数値に狭義に限定されるものとして理解されるべきではない。逆に特に断らない限り、こうした各寸法は記載される数値とその値の周辺の機能的に同等の範囲との両方を意味することを意図している。例えば、「４０ｍｍ」として開示された寸法は、「約４０ｍｍ」を意味することを意図する。
【００５６】
「発明を実施するための形態」で引用したすべての文献は、関連部分において本明細書に参考として組み込まれるが、いずれの文献の引用も、それが本発明に対する先行技術であることを容認するものと解釈されるべきではない。本書における用語の任意の意味又は定義が、参照により組み込まれた文献における同一の用語の任意の意味又は定義と相反する限りにおいては、本書においてその用語に与えられた意味又は定義が適用されるものとする。
【００５７】
本発明の特定の実施形態を説明及び記述してきたが、本発明の趣旨及び範囲から逸脱することなく他の様々な変更修正を行えることが当業者には明白であろう。したがって本発明の範囲に包含されるすべてのこうした変更及び改変は付属の特許請求の範囲において網羅されるものとする。
【図１】
2010515515.tif 000003
【図２】
2010515515.tif 000004
【図３】
2010515515.tif 000005
【図４】
2010515515.tif 000006
【図５】
2010515515.tif 000007
【図６】
2010515515.tif 000008
【図７】
2010515515.tif 000009
【図８】
2010515515.tif 000010
【図９】
2010515515.tif 000011
【国際調査報告】
2010515515.tif 000012
2010515515.tif 000013